(57)【要約】【課題】操作者の作業負担を軽減して静止画の印刷と動画形式ファイルの作成を行うことができる記録再生装置及び方法、並びにプログラム及び記録媒体を提供する。【解決手段】システム制御部１６は、印刷対象静止画を、動画形式ファイルを構成する静止画の１つとして追加するか否かを選択し、印刷対象静止画を追加した静止画リストを作成し、静止画リストに基づいて動画形式ファイルを作成し、印刷対象静止画の印刷実行時またはホストコンピュータのアプリケーションにおける印刷履歴や印刷指示状態に応じて、動画形式ファイルを作成する。【選択図】図１
2007306516.tif 000002
【特許請求の範囲】
【請求項１】
動画形式ファイルを構成する静止画の１つとして印刷対象静止画を静止画リストに追加する追加手段と、
前記印刷対象静止画を追加した静止画リストを作成する静止画リスト作成手段と、
前記静止画リストに基づいて動画形式ファイルを作成する動画形式ファイル作成手段とを備えることを特徴とする記録再生装置。
【請求項２】
前記動画形式ファイル作成手段は、前記印刷対象静止画の印刷実行時に前記動画形式ファイルを作成することを特徴とする請求項１記載の記録再生装置。
【請求項３】
前記動画形式ファイル作成手段は、前記印刷対象静止画を記録媒体に記録された順に表示する動画形式ファイルを作成することを特徴とする請求項１又は２記載の記録再生装置。
【請求項４】
前記動画形式ファイル作成手段は、前記印刷対象静止画のうち印刷指定したものを基に動画形式ファイルを作成することを特徴とする請求項１又は２記載の記録再生装置。
【請求項５】
前記動画形式ファイル作成手段は、前記印刷指定した印刷対象静止画の印刷順に表示する動画形式ファイルを作成することを特徴とする請求項４記載の記録再生装置。
【請求項６】
前記動画形式ファイル作成手段は、前記印刷対象静止画を印刷指定枚数の多い順に表示する動画形式ファイルを作成することを特徴とする請求項４記載の記録再生装置。
【請求項７】
前記動画形式ファイル作成手段は、前記印刷対象静止画を印刷指定枚数の少ない順に表示する動画形式ファイルを作成することを特徴とする請求項４記載の記録再生装置。
【請求項８】
前記動画形式ファイル作成手段は、前記印刷対象静止画の表示時間が印刷指定枚数の少ないものほど短く、前記印刷対象静止画の表示時間が印刷指定枚数の多いものほど長い動画形式ファイルを作成することを特徴とする請求項５乃至７の何れか１項に記載の記録再生装置。
【請求項９】
動画形式ファイルを構成する静止画の１つとして印刷対象静止画を静止画リストに追加するか否かを選択する静止画追加選択ステップと、
前記印刷対象静止画を追加した静止画リストを作成する静止画リスト作成ステップと、
前記静止画リストに基づいて動画形式ファイルを作成する動画形式ファイル作成ステップとを備えることを特徴とする記録再生方法。
【請求項１０】
動画形式ファイルを構成する静止画の１つとして印刷対象静止画を静止画リストに追加するか否かを選択する静止画追加選択モジュールと、
前記印刷対象静止画を追加した静止画リストを作成する静止画リスト作成モジュールと、
前記静止画リストに基づいて動画形式ファイルを作成する動画形式ファイル作成モジュールとをコンピュータに実行させることを特徴とする記録再生プログラム。
【請求項１１】
請求項１０記載の記録再生プログラムを格納することを特徴とするコンピュータ読み取り可能な記録媒体。
【発明の詳細な説明】
【技術分野】
【０００１】
本発明は、記録再生装置及び方法、並びにプログラム及び記録媒体に関し、特に、静止画から動画形式ファイルを作成する記録再生装置及び方法、並びにプログラム及び記録媒体に関する。
【背景技術】
【０００２】
デジタルカメラなどで撮影した静止画は、記録媒体に画像データとして保存しておくだけではなく、ダイレクトプリントなどの機能を利用して印刷することが行われている。また、複数の静止画を繋ぎ合わせて動画形式ファイルを作成して、ＤＶＤやＣＤのように汎用の再生機器で再生できるようにすることも行われている。このように、静止画は、操作者の要求に合わせて様々な形で記録に残すことができるようになってきている。
【０００３】
例えば、ある静止画をダイレクトプリントで印刷し、さらに動画形式ファイルとして記録したい場合、従来は、静止画の印刷は、印刷の手順に従って実行し、動画形式ファイルの作成は、動画形式ファイル作成の手順に従って実行して記録する必要があった。これは静止画を印刷する手段と、静止画を動画形式ファイルに変換して記録する手段に繋がりがないためである。
【０００４】
また、それ以外には、例えば、特許文献１で提案されているように、動画形式ファイルの再生中にプリント指定を行って印刷を実行し、動画形式のファイルを作成してから印刷の手順に従って処理をするという技術がある。
【特許文献１】特開２００４−６４２８５号公報
【発明の開示】
【発明が解決しようとする課題】
【０００５】
しかしながら、従来の技術では、全く同じ静止画を印刷し、さらに動画形式ファイル作成を行う場合であっても、上述したように、静止画印刷は印刷の処理に従って実行し、動画形式ファイル作成は動画形式ファイル作成の処理に従って行うしかなかった。そのため、操作者は煩わしい操作を繰り返し行わなければならず、静止画枚数が多くなるほど作業負担が大きくなるという課題があった。
【０００６】
本発明の目的は、操作者の作業負担を軽減して静止画の印刷処理と動画形式ファイルの作成処理を行うことができる記録再生装置及び方法、並びにプログラム及び記録媒体を提供することにある。
【課題を解決するための手段】
【０００７】
上記目的を達成するために、請求項１記載の記録再生装置は、動画形式ファイルを構成する静止画の１つとして印刷対象静止画を静止画リストに追加するか否かを選択する静止画追加選択手段と、前記印刷対象静止画を追加した静止画リストを作成する静止画リスト作成手段と、前記静止画リストに基づいて動画形式ファイルを作成する動画形式ファイル作成手段とを備えることを特徴とする。
【０００８】
請求項９記載の記録再生方法は、動画形式ファイルを構成する静止画の１つとして印刷対象静止画を静止画リストに追加するか否かを選択する静止画追加選択ステップと、前記印刷対象静止画を追加した静止画リストを作成する静止画リスト作成ステップと、前記静止画リストに基づいて動画形式ファイルを作成する動画形式ファイル作成ステップとを備えることを特徴とする。
【０００９】
請求項１０記載の記録再生プログラムは、動画形式ファイルを構成する静止画の１つとして印刷対象静止画を静止画リストに追加するか否かを選択する静止画追加選択モジュールと、前記印刷対象静止画を追加した静止画リストを作成する静止画リスト作成モジュールと、前記静止画リストに基づいて動画形式ファイルを作成する動画形式ファイル作成モジュールとをコンピュータに実行させることを特徴とする。
【００１０】
請求項１１記載のコンピュータ読み取り可能な記憶媒体は、請求項１０記載の記録再生プログラムを格納することを特徴とする。
【発明の効果】
【００１１】
本発明によれば、印刷対象静止画を、動画形式ファイルを構成する静止画の１つとして追加し、印刷対象静止画を追加した静止画リストを作成し、静止画リストに基づいて動画形式ファイルを作成する。これにより、印刷処理と動画形式ファイルの作成処理を関連付けることができ、その結果、操作者の作業負担を軽減して静止画の印刷と動画形式ファイルの作成を行うことができる。
【発明を実施するための最良の形態】
【００１２】
以下、本発明の実施の形態を図面を参照しながら詳細に説明する。
【００１３】
図１は、本発明の実施の形態に係る記録再生装置の構成を概略的に示す図である。
【００１４】
図１において、撮像部１は光学系レンズ及びＣＣＤ等の撮像素子、オートフォーカス機構、ズーム機構等からなる。そして、カメラ制御部３の指示に従い、被写界に対して焦点や光量等を調整し、レンズを通して結像された被写界の光学像を映像信号に変換し、カメラ信号処理部２に送出する。
【００１５】
カメラ信号処理部２は、カメラ制御部３の指示に従い、上記映像信号に所定の信号処理を施して、記録系信号処理部６に送出する。
【００１６】
カメラ制御部３は、マイクロコンピュータ等により構成され、システム制御部１６、操作部１４の指示等によりカメラ系全体を制御する。
【００１７】
ＶＴＲブロック４は、メカ部、メカ駆動部、マイクロコンピュータを中心とするメカ・サーボ制御部等から構成され、システム制御部１６の指示に従って、記録媒体への記録・再生動作を行う。
【００１８】
信号処理部５は、記録系信号処理部６と再生系信号処理部７とから構成され、システム制御部１６の指示により、様々な記録・再生信号処理を行う。記録系信号処理部６は、カメラ信号処理部２から出力された信号に対して、所定の信号処理を施してＶＴＲブロック４に送出する。再生系信号処理部７は、ＶＴＲブロック４から再生された信号に所定の処理を施し、それぞれ、画像変換部１０、スピーカ８に送出する。更に、システム制御部１６から送られる文字情報、印刷範囲枠表示情報を映像信号にミックスし、液晶パネル９に送出する。
【００１９】
液晶パネル９は、映像信号を操作者に対して映像を映し出すと供に、文字や記号による本体の各種情報の表示、メニュー設定時のガイド表示、印刷範囲枠表示等を行う。
【００２０】
画像変換部１０は、システム制御部１６の指示により、再生系信号処理部７から再生信号を、プリンタが認識できる画像ファイル（例えばＪＰＥＧ画像）に変換し、外部デジタルＩ／Ｆ部１１に出力する。
【００２１】
外部デジタルＩ／Ｆ部１１は、ＵステップＳＢ等のインターフェースコントローラで、システム制御部１６の指示により、外部機器との各種データ（印刷画像、プリンタ制御コマンド等）通信を行う。
【００２２】
Ｉ／Ｆコネクタ１２は、ＵステップＳＢ ｍｉｎｉＢ等のレセプタクルである。ダイレクトプリントを行うときに、外部のプリンタＢと接続するためのインターフェースである。
【００２３】
外部記録媒体Ｉ／Ｆコネクタ１３は、ステップＳＤカード、コンパクトフラッシュ(登録商標)などのカード状の記録媒体を実装するためのコネクタであり、システム制御部１６からの指示により、ファイルの読み込み、書き込みなどのアクセスを行うためのものである。
【００２４】
操作部１４の一部は、ＶＴＲ系、及び装置全体に関する各種スイッチ類から構成され、操作者からの指示をシステム制御部１６に送出する。また、操作部１４の電源モードスイッチは、本体の電源モード（カメラ／切／ＶＴＲ）を選択するためのスイッチで、その状態をシステム制御部１６に送出する。また、操作部１４の一部は、カメラ系に関する各種スイッチ、ダイヤル（ＡＦオン／オフ、ＡＥオート／ロック、プログラムＡＥ等）類から構成され、操作者からの指示を、システム制御部１６を介してカメラ制御部３に送出する。
【００２５】
内部記録媒体１５は、ＲＡＭやフラッシュＲＯＭなどを含み、撮影した静止画データなどを一時的に記録、保持するために使用する記録媒体である。
【００２６】
システム制御部１６は、上述した、カメラ一体型ＶＴＲの各種機能を総合的に制御するマイクロコンピュータ等から構成される。システム制御部１６は、図５、図８、図１０、図１２のフローチャートの処理を実行する。
【００２７】
図２は、図１の記録再生装置を含む印刷システムの構成を概略的に示す図ある。
【００２８】
図２において、印刷システムは、カメラ一体型の記録再生装置Ａと、記録再生装置Ａとケーブルで接続されたプリンタＢとを備える。プリンタＢは、記録再生装置Ａの内部記録媒体１５、又は外部記録媒体に記録された静止画をダイレクトプリントできるようになっている。
【００２９】
プリンタＢと接続してダイレクトプリントを行うときに動画リストを作成し、そのリストをもとに動画形式ファイルを作成する例について、以下に説明する。
【００３０】
図３は、図１の記録再生装置によって実行される静止画印刷及び動画形式ファイル作成処理の手順を示すフローチャートである。
【００３１】
本処理は記録再生装置のシステム制御部１６によって実行される。
【００３２】
図３において、まず、静止画が表示されている画面で印刷する静止画を選択する（ステップＳ５０１）。静止画を選択した後、操作部１４を操作して図４に示すようなダイレクトプリント印刷設定画面に入り、印刷設定を行う（ステップＳ５０２）。ここで行う印刷設定は、印刷枚数設定、用紙設定、トリミング枠設定、日付印刷有無設定、印刷画質設定、静止画リスト設定などである。
【００３３】
印刷する静止画を静止画リストに入れるときは、図４に示すダイレクトプリント印刷設定画面で静止画リストメニューを選択し、図５に示す静止画リスト選択画面に進む。静止画リスト選択画面のメニューでは、印刷をしようとしている静止画を、動画形式ファイルを構成する１つとして静止画リストに追加するか否かを選択する（ステップＳ５０３）（追加手段）。ステップＳ５０３の選択処理で、静止画を追加しないときは、図４のダイレクトプリント印刷設定画面でプリントを実行して、動画形式ファイルを作成するか否かを確認する画面(図６)を表示する（ステップＳ５０４）。ステップＳ５０４の選択処理の結果、動画形式ファイルを作成しない場合は、印刷指定を行った静止画の印刷を実行し（ステップＳ５０５）、このまま印刷を終了する場合は（ステップＳ５０６でＹＥＳ）、本処理を終了し、他の静止画を印刷する場合は（ステップＳ５０６でＮＯ）、ステップＳ５０１以降の処理を繰り返す。
【００３４】
ステップＳ５０３の選択処理の結果、静止画を追加する場合は、この静止画を動画形式ファイルに記録する静止画リストに追加して（ステップＳ５０７）（静止画リスト作成手段）、ステップＳ５０４に進む。なお、静止画リストへの追加をデフォルト設定とすれば、動画形式ファイルに静止画を入れることを前提とした操作をする操作者は、この操作を省略することができる。
【００３５】
ステップＳ５０４の選択処理の結果、動画形式ファイル作成を選択すると、後述する図８の動画形式ファイル作成処理を実行して、それまでに静止画リストに追加された静止画を動画形式ファイルに変換する（ステップＳ５０８）（動画形式ファイル作成手段）。作成される動画形式ファイルは、例えば静止画が記録された順番に流れる動画となる（図７）。
【００３６】
図３の静止画印刷及び動画形式ファイル作成処理によれば、静止画の印刷を実行する（ステップＳ５０５）に先だって、静止画を静止画リストに追加して（ステップＳ５０７）、静止画リストに追加された静止画を動画形式ファイルに変換する（ステップＳ５０８）ので、静止画の印刷処理と動画形式ファイル作成処理を関連付けることができ、その結果、操作者の作業負担を軽減して静止画の印刷処理と動画形式ファイル作成処理を行うことができる。
【００３７】
図８は、図５のステップＳ５０８で実行される動画形式ファイル作成処理の手順を示すフローチャートである。
【００３８】
図８において、まず、動画形式ファイル作成メニューに入ると、図９に示すような静止画リストが表示される（ステップＳ８０１）。次に、静止画を削除するなど、静止画リストを修正するか否か選択する（ステップＳ８０２）。ステップＳ８０２の選択処理の結果、静止画リストに修正を加えないときは、動画形式ファイルを作成するか否か選択する（ステップＳ８０３）。ステップＳ８０３の選択処理の結果、動画形式ファイルを作成しないときは、静止画リストを削除するか否か選択する。ステップＳ８０４の選択処理の結果、静止画リストを削除しないときは、本処理を終了する。
【００３９】
ステップＳ８０２の選択処理の結果、静止画リストに修正を加えるときは、静止画リストに修正を加えて（ステップＳ８０５）、ステップＳ８０３に進む。ステップＳ８０３の選択処理の結果、動画形式ファイルを作成するときは、動画形式ファイルを作成して（ステップＳ８０６）、ステップＳ８０４に進む。ステップＳ８０４の選択処理の結果、動画形式ファイル作成後、保存してあった静止画リストを削除するときは、静止画ファイルの削除を実行して（ステップＳ８０７）、本処理を終了する。
【００４０】
ダイレクトプリント画面で印刷のみを行う場合であっても、後から印刷した静止画を集めた動画形式ファイルを作成したい場合は、図８に示す動画形式ファイル作成手順に従って操作することで動画形式ファイルを作成することができる。
【００４１】
次に、図２に示すように、カメラ一体型の記録再生処理装置ＡをプリンタＢと接続してＤＰＯＦ（Digital Print Order Format）設定した静止画を印刷するときに、ＤＰＯＦ指定した静止画から動画形式ファイルを作成する例について説明する。このとき、ＤＰＯＦ指定は、図１０のＤＰＯＦ指定処理によって行い、動画形式ファイルは図１２のＤＰＯＦ印刷処理と同時に行われる。
【００４２】
図１０は、図１の記録再生装置によって実行されるＤＰＯＦ指定処理の手順を示すフローチャートである。
【００４３】
本処理は記録再生装置のシステム制御部１６によって実行される。
【００４４】
図１０において、操作者は、印刷したい静止画を選択するために、図１１に示すＤＰＯＦ設定画面に入り、静止画の選択を行う（ステップＳ１００１）。そして、カーソルをＤＰＯＦ指定したい静止画に合わせ、印刷したい枚数を設定する（ステップＳ１００２）。続けて別の静止画にＤＰＯＦ指定を行う場合には（ステップＳ１００３でＮＯ）、ステップＳ１００１以降の処理に戻り、ＤＰＯＦ設定を終了する場合には（ステップＳ１００３でＹＥＳ）、本処理を終了する。
【００４５】
図１２は、図１の記録再生装置によって実行されるＤＰＯＦ印刷処理の手順を示すフローチャートである。
【００４６】
本処理は記録再生装置のシステム制御部１６によって実行される。
【００４７】
図１２において、図１３に示すＤＰＯＦ印刷設定画面に入ることにより、図１１のＤＰＯＦ指定処理により指定されたＤＰＯＦ指定画像の印刷と動画形式ファイルの作成を行う（ステップＳ１２０１）。印刷設定項目としては、印刷枚数設定、用紙設定、トリミング枠設定、日付印刷有無設定、印刷画質設定、動画形式ファイル作成有無設定がある。各種設定を終えた後、動画形式ファイルを出力するか否か選択する（ステップＳ１２０２）。
【００４８】
ステップＳ１２０２の選択処理の結果、動画形式ファイルを出力しないときは、静止画印刷を実行して（ステップＳ１２０３）、本処理を終了する。ステップＳ１２０２の選択処理の結果、動画形式ファイルを出力するときは、動画形式ファイルを作成し（ステップＳ１２０４）、その後、静止画印刷を実行して（ステップＳ１２０３）、本処理を終了する。
【００４９】
ステップＳ１２０２の選択処理において、動画形式ファイル作成がオンになっているときは変換された動画形式ファイルは、例えば静止画が記録された順番に流れる動画となる（図１４）。
【００５０】
次に、図１２のＤＰＯＦ印刷処理において、動画形式ファイルを作成する場合に（ステップＳ１２０４）、作成する動画形式ファイルの設定項目を増やした例について説明する。
【００５１】
図１５は、ＤＰＯＦ指定を行う設定画面例、図１６は、動画形式ファイルに取り入れる静止画の並び順の設定画面例、図１７は、動画形式ファイルで表示する各静止画の表示時間の設定画面例である。
【００５２】
図１０に示すＤＰＯＦ指定処理を行った後、図１５の設定画面に入り印刷、動画設定を行う。まず、図１６に示す動画記録順序設定では、動画形式ファイルに記録する静止画の順番の設定を行う。静止画の順番としては、静止画が記録された順番に動画を作成する場合、静止画のファイル名の順番に動画を作成する場合、ＤＰＯＦ設定枚数の多い順番に動画を作成する場合、ＤＰＯＦ設定枚数の少ない順番に動画を作成する場合の四通りが選択肢として存在する。操作者はいずれか１つを選択する。
【００５３】
また、図１７に示す静止画表示時間設定では、動画形式ファイル中のある静止画を表示する時間を設定する。表示時間の設定としては、一定間隔で静止画像を表示する場合、ＤＰＯＦ指定枚数の多いものは長く表示する場合の二通りが存在し、操作者はいずれか１つを選択する。
【００５４】
例えば、静止画が記録された順番に、一定の表示時間となる動画形式ファイルを作成した場合には、図１４に示すような流れの動画形式ファイルが作成される。また、静止画のＤＰＯＦ指定枚数の多い順番に、一定の表示時間となる動画形式ファイルを作成した場合は、図１８に示すような流れの動画形式ファイルが作成される。
【００５５】
また、静止画が記録された順番に、ＤＰＯＦ指定枚数の多いものは長く表示する動画形式ファイルを作成した場合は、図１９に示すような動画形式ファイルが作成される。また、静止画のＤＰＯＦ設定枚数の多い順番に、ＤＰＯＦ指定枚数の多いものは長く表示する動画形式ファイルを作成した場合は、図２０に示すような動画形式ファイルが作成される。
【００５６】
また、本発明の目的は、実施の形態の機能を実現するソフトウェアのプログラムコードを記録した記録媒体を、システムまたは装置に供給し、そのシステム又は装置のコンピュータ（又はＣＰＵやＭＰＵ等）が記録媒体に格納されたプログラムコードを読み出して実行することによっても達成される。
【００５７】
この場合、記録媒体から読み出されたプログラムコード自体が前述した実施の形態の機能を実現することになり、そのプログラムコード及び該プログラムコードを記憶した記録媒体は本発明を構成することになる。
【００５８】
また、プログラムコードを供給するための記録媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードをネットワークを介してダウンロードしてもよい。
【００５９】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【００６０】
更に、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施の形態の機能が実現される場合も含まれる。
【図面の簡単な説明】
【００６１】
【図１】本発明の実施の形態に係る記録再生装置の構成を概略的に示す図である。
【図２】図１の記録再生装置とプリンタとが接続された状態を示す図である。
【図３】図１の記録再生装置によって実行される静止画印刷及び動画形式ファイル作成処理の手順を示すフローチャートである。
【図４】図１における液晶パネルに表示されるダイレクトプリント画面例を示す図である。
【図５】図１における液晶パネルに表示される静止画リスト選択画面例を示す図である。
【図６】図１における液晶パネルに表示される動画形式ファイル作成メニュー例を示す図である。
【図７】図１の記録再生装置によって形成される動画形式ファイルの流れの例を示す図である。
【図８】図５のステップＳ５０８で実行される動画形式ファイル作成処理の手順を示すフローチャートである。
【図９】図１における液晶パネルに表示されるＤＰＯＦ指定画面例を示す図である。
【図１０】図１の記録再生装置によって実行されるＤＰＯＦ指定処理の手順を示すフローチャートである。
【図１１】図１における液晶パネルに表示されるＤＰＯＦ印刷設定画面例を示す図である。
【図１２】図１の記録再生装置によって実行されるＤＰＯＦ印刷処理の手順を示すフローチャートである。
【図１３】図１における液晶パネルに表示されるＤＰＯＦ印刷設定メニュー画面例を示す図である。
【図１４】図１の記録再生装置によって形成されるＤＰＯＦ指定静止画から作成した動画形式ファイル例を示す図である。
【図１５】図１における液晶パネルに表示されるＤＰＯＦ印刷、動画形式ファイル作成メニュー画面例を示す図である。
【図１６】図１における液晶パネルに表示される動画形式ファイル詳細設定メニュー画面例を示す図である。
【図１７】図１における液晶パネルに表示される動画形式ファイル詳細設定メニュー画面例を示す図である。
【図１８】図１の記録再生装置によって形成される、ＤＰＯＦ指定枚数の多い順番に作成した動画形式ファイル例を示す図である。
【図１９】図１の記録再生装置によって形成される、ＤＰＯＦ指定枚数の多い静止画を長く表示する動画形式ファイル例を示す図である。
【図２０】図１の記録再生装置によって形成される、ＤＰＯＦ指定枚数の多い順番で、静止画を長く表示する動画形式ファイル例を示す図である。
【符号の説明】
【００６２】
１  撮像部
２  カメラ信号処理部
３  カメラ制御部
４  ＶＴＲブロック
５  信号処理部
８  スピーカ
９  液晶パネル
１０  画像変換部
１１  外部デジタルＩ／Ｆ部
１２  Ｉ／Ｆコネクタ
１３  外部記録媒体Ｉ／Ｆコネクタ
１４  操作部
１５  内部記録媒体
１６  システム制御部
【図１】
2007306516.tif 000003
【図２】
2007306516.tif 000004
【図３】
2007306516.tif 000005
【図４】
2007306516.tif 000006
【図５】
2007306516.tif 000007
【図６】
2007306516.tif 000008
【図７】
2007306516.tif 000009
【図８】
2007306516.tif 000010
【図９】
2007306516.tif 000011
【図１０】
2007306516.tif 000012
【図１１】
2007306516.tif 000013
【図１２】
2007306516.tif 000014
【図１３】
2007306516.tif 000015
【図１４】
2007306516.tif 000016
【図１５】
2007306516.tif 000017
【図１６】
2007306516.tif 000018
【図１７】
2007306516.tif 000019
【図１８】
2007306516.tif 000020
【図１９】
2007306516.tif 000021
【図２０】
2007306516.tif 000022